(57)【要約】      （修正有）【課題】固定用のピンを差し込めない場所での使用可能にし、かつ、一般的畑での潅水でも２〜４本のピンで固定し回転体を縦２本の軸で各一個、横に１本の軸に２個の回転体を有する構造にしてスムーズな誘導と潅水ホースでの農作物への傷つけを無くすることが出来るように工夫した潅水ホースガイドを提供する。【解決手段】横の回転体１、２個とワッシャー２を横の回転軸に差し込み横軸固定用の溝に設置し、次に鼓型の縦の回転体５とワッシャー２をコの字型の支柱６の間に置き、コの字型の支柱６の上部から縦の回転軸７を差し込み支柱に取り付けた。【選択図】図１
2011062193.tif 000002
【特許請求の範囲】
【請求項１】
縦に２本、横に１本、合計３本の軸を装備し、縦軸には鼓型の回転体を各１個、横軸には球型の回転体を２個装着する構造にし、ホースの誘導を容易にすることを特徴とする潅水ホースガイド。
【請求項２】
縦に２本、横に１本、合計３本の軸を装備し、縦軸には鼓型の回転体を各１個、横軸には球型の回転体を２個装着したホースガイドを設置する台の四角に固定用ピンを打ちこむための穴をあける構造にし、潅水ホースの誘導中に本具が移動しないようにピン打ちし固定することを特徴とする潅水ホースガイド。
【請求項３】
舗装などで固定ピンの打ちこめない場所でも使用可能にするため、本体を設置した台と水平軸との間隔をあける構造にし、そのあけた位置にブロックなどの重石を置き固定することにより、潅水作業中に本具が移動しないようにすることを特徴とする潅水ホースガイド。
【請求項４】
舗装などで固定ピンの打ちこめない場所で、ブロックに囲まれた花壇などホースの誘導角度を直角に変えるために使用するとき、本体を設置した台の一辺に直角の切り込みを入れ、その切り込みを花壇の角に挟みこむ構造にし、ホース誘導を容易にすることを特徴とする潅水ホースガイド。
【請求項５】
回転体の縦軸を固定する支柱の形を片仮名のコの字型にし、コの字の中に鼓型の回転体を差し込み支柱の上部から縦軸を差し込む構造にし、縦の回転体の脱着を容易かつ確実にすることを特徴とする潅水ホースガイド。
【請求項６】
回転体の横軸を固定する方法は縦軸の支柱に横軸固定用の溝に球状の回転体と横軸を設置する構造にし、横の回転体と回転軸の脱着を容易かつ確実にすることを特徴とする潅水ホースガイド。
【請求項７】
先に横の回転体と回転軸を設置し、次に鼓型の縦の回転体を設置し、最後に縦軸を鼓型の回転体に差し込み支柱に装着することにより、横の回転体と回転軸の溝の上部を縦の鼓状の回転体の底面が覆う形態となり、横の軸の離脱防止することを特徴とする潅水ホースガイド。
【発明の詳細な説明】
【技術分野】
【０００１】  この発明は家庭菜園などでの潅水作業中にホースによる農作物への傷つけ防止目的の潅水ホースガイドである。また、家庭や公園で花壇の周辺を舗装していてホースガイドの支柱を土中に差し込み不可能な場所でも使用できる潅水ホースガイドに関するものである。
【背景技術】
【０００２】  家庭菜園や農園で農作物を傷つけないホースガイドとしては、支柱を土中に打ち込んで使用する杭型のホースガイドが一般的に知られている。例えば、特開２００１−１１４４７５号公報（特許文献１）には回転体の外周に形成した環状の凹部と、その環状の上方部に形成した散水用ホース外れ防止手段とを備えた胸の記載がされている。しかし、これらの製品を利用して潅水作業をしても、注意しないとホースで農作物に傷つけることが頻繁に起こっていた。それは、畝移動するときにホースの架け替え作業を忘れることで、この作業が遅れると必ず農作物に傷をつけていた。この対応策としては、畝移動するたびに必ず架け替え作業をするか、ホースガイドをもう一本使用するかであった。【０００３】  舗装をしていて、固定ピンなどが打ちこめない場所でのホースガイドとしては、特開２００５−１１３９５５号公報（特許文献２）のホースガイドがある。しかし、これは車の洗車が主目的でタイヤと地面との間に噛み込む旨の記載がされていて家庭や公園で花壇の周辺を舗装していている場所での使用には不向きな物であった。【０００４】
【特許文献１】  特開２００１−１１４４７５号公報（特許請求の範囲、発明の効果、図１）
【特許文献２】  特開２００５−１１３９５５号公報（特許請求の範囲、発明の効果、図１）
【発明の概要】
【発明が解決しようとする課題】
【０００５】  これは次のような欠点があった。
（イ）家庭菜園や農園で農作物を傷つけないホースガイドとしては、支柱を土中に打ち込んで使用する杭型のホースガイドが一般的に知られている。しかし、これら従来の製品を利用して潅水作業をしても、注意しないとホースで農作物に傷つけることが頻繁に起こっていた。
（ロ）畝移動するときにホースの架け替え作業を忘れると畝にホースがかかり必ず農作物に傷をつけていた。畝移動するたびに架け替え作業をするか、ホースガイドをもう一個使用する方法で対応するしかなく。手間と経費がかかっていた。
（ハ）架け替え作業をしても、架け替え後は２本のホースを同時に誘導することとなり、２本同時に引っ張らないと回転体が上手に回転しなくなり、１本のホースを引っ張り通常の潅水をした場合には、多大の荷重がホースガイドの支柱にかかりホースガイドの破損の原因にもなっていた。
（ニ）舗装をしていて、固定ピンなどが打ちこめない場所でのホースガイドとしては洗車が主目的でタイヤと地面との間に噛み込む形式のもので、家庭や公園で花壇の周辺を舗装していている場所での使用には不向きな物であった。
（ホ）長いホースを使用し潅水する場合にホースを水平方向への誘導するための適当な潅水ホースガイドはなかった。
【課題を解決するための手段】
【０００６】  横の回転体（１）２個とワッシャー（２）を横の回転軸（３）に差し込み横軸固定用の溝（４）に設置し、次に鼓型の縦の回転体（５）とワッシャー（２）をコの字型の支柱（６）の間に置き、コの字型の支柱（６）の上部から縦の回転軸（７）を差し込み固定する。
本発明は、以上の構成よりなる潅水ホースガイドである。
【発明の効果】
【０００７】  （イ）家庭菜園や農園で、潅水ホースガイドの４角の穴に２〜４本の固定用ピン（７）で本具を固定し潅水作業をするとホースで農作物を傷つけない。
（ロ）畝移動するときは架け替え作業をするか、ホースガイドが２個必要であったが本具ではこれ一個で対応できる。
（ハ）２本のホースを架けて誘導しても、左右の２個の回転体があることにより、１本のホースを引っ張り通常の潅水をした場合スムーズな誘導ができ、多大の荷重がホースガイドの支柱にかかることもなくなった。
（ニ）家庭や公園で花壇の周辺を舗装していている場所でも潅水ホースガイドの台にブロックなどの重石を利用することにより固定ができ使用可能になった。
（ホ）分解組み立てが簡単なため、使用後の掃除や修理も容易にできる
（ヘ）水平方向への誘導用目的の使用が可能になった。
【図面の簡単な説明】
【０００８】
【図１】本発明の斜視図である。
【図２】本発明の分解斜視図である。
【図３】実施例１図である。
【図４】実施例２図である。
【発明を実施するための形態】
【０００９】  以下、本発明を実施するための最良の形態について説明する。
【実施例】図１は、本願発明の潅水ホースガイドを示す斜視図、図２は、図１の分解図、図３は本願発明の潅水ホースガイドの使用例１、図４は本願発明の潅水ホースガイドの使用例２である。【００１０】  図１〜図２に基づき説明する。縦に２本、横に１本、合計３本の軸を装備し、縦軸には鼓型の回転体を各１個、横軸には球型の回転体を２個装着する構造にしてホースを左右方向への誘導、水平方向への誘導を同時に行い、本体の回転体の中央に２本のホースが入るスペースを確保している。そのことにより、例えば、右方向に誘導する場合は右側の縦軸の鼓型の回転体と水平方法の横軸の右側の回転体を使った誘導を行うことができ、左側のホースはそのままの位置で移動することなく誘導できるため、余分の力を必要としない。【００１１】  畑など固定用ピンを打ちこむことのできる場所での固定は、土台の４本の穴を利用し、基本的には対角線の穴を使い２本のピンを打ち込むことでできる。【００１２】  舗装などで固定ピンの打ちこめない場所での固定は、本体を設置した台と水平軸との間隔をあける構造にし、その位置に市販のブロックなどの重石を置できる。より安定させるための専用の重石を製作し設置することもできる。【００１３】  図３に基づき、発明を実施するための実施例１を説明する。図３は一般的なホース潅水をするときの状態を示したものである。最上段の畝の潅水をするとき往路で行い。復路で２段目の潅水を行う。その時、上段の畝を潅水する時、ホースガイドがないと、上段の畝の作物を傷つけることになる。次に復路は比較的問題はないが、３段目に移るとき、また傷をつけるため、従来は、ホースガイドに２重になったホースの架け替えをしていた。２本のホースが重なり、２本同時に引かない限り回転体が上手く回転しなかったが、本具は、２本目終了時に、縦２本の回転体の中にホースを掛けて使用すると問題なく潅水ができるようになった。
３段目以降の設置場所と潅水方法は、図のように、１段飛ばし、３段目と４段目の中間に、２番目の潅水ホースガイドを設置し、３段目以降の畝に移るとよい。【００１４】  畝間潅水での潅水ホースガイドの設置についての注意事項は縦の軸２本の位置が、畝方向と直角になるようにすることである。【００１５】  図４に基づき、発明を実施するための実施例２を説明する。図４舗装などで固定ピンの打ちこめない場所ではブロックに囲まれた花壇など角に潅水ホースの台の一辺に直角の切り込みを入れた場所を合わせ挟みこむ状態にし、潅水ホースガイドの切り込みの反対側にブロックをおき固定した状態で使用する。［００１２］で説明した方法で、なお一層の固定が必要な時は行うのがよい。【００１６】  ホースが長く、かつ舗装などで固定ピンの打ちこめない場所での使用は［００１２］で説明した固定方法で実施すると有効である。
【符号の説明】
【００１７】  １  横の回転体
２  ワッシャー
３  横の回転軸
４  横の回転軸の固定用溝
５  鼓型の縦の回転体
６  コの字型の支柱
７  縦の回転軸
８  固定用のピン
９  ブロック
１０  潅水ホースガイド
【図１】
2011062193.tif 000003
【図２】
2011062193.tif 000004
【図３】
2011062193.tif 000005
【図４】
2011062193.tif 000006